(57)【要約】【課題】ダイの吐出口を簡単、かつ、完全に閉塞できる閉塞部材、塗工装置、及び塗工準備方法を提供する。【解決手段】下ダイ２０と上ダイ２２と、下ダイ２０に設けられた塗工液の液溜め部２４と、液溜め部２４から下ダイ２０と上ダイ２２の間に形成された塗工液の液通路２６と、液通路２６の先端にあるスリット状の塗工液の吐出口２８と、下ダイ２０に設けられ、液溜め部２４に塗工液を供給する供給口３０と、上ダイ２２に設けられた排出口３２とを有したダイ１２の吐出口２８を閉塞する閉塞部材５０であって、吐出口２８を閉塞する閉塞板５２と、閉塞板５２をダイ１２に取り付ける取り付け部材６６とを有する。【選択図】      図３
2020179320.tif 000002
【特許請求の範囲】
【請求項１】
第１本体と、
第１本体に組み合わさる第２本体と、
前記第１本体に設けられた塗工液の液溜め部と、
前記液溜め部から前記第１本体と前記第２本体の間に形成された前記塗工液の液通路と、
前記液通路の先端にあるスリット状の前記塗工液の吐出口と、
前記第１本体に設けられ、前記液溜め部に前記塗工液を供給する供給口と、
前記第２本体に設けられた排出口と、
を有したダイの前記吐出口を閉塞する閉塞部材であって、
前記吐出口を閉塞する閉塞板と、
前記閉塞板を前記ダイに取り付ける取り付け部材と、
を有する閉塞部材。
【請求項２】
前記取り付け部材は、
前記閉塞板を支持する第１支持部と、
前記吐出口とは反対側に位置する前記ダイの背面に配される第２支持部と、
前記第１支持部と前記第２支持部とを連結する連結部と、
を有する請求項１に記載の閉塞部材。
【請求項３】
前記第２支持部は、前記閉塞板を前記ダイ側へ押圧する押圧部を有する、
請求項２に記載の閉塞部材。
【請求項４】
前記押圧部は、前記第２支持部に螺合する押圧ボルトであって、その先端が前記ダイの前記背面に当接される、
請求項３に記載の閉塞部材。
【請求項５】
前記第１支持部は棒状であり、前記閉塞板に所定間隔毎に固定され、
前記第２支持部は棒状であり、所定間隔毎に配され、
前記連結部は棒状であって、一端に前記第１支持部が固定され、他端に前記第２支持部が固定されている、
請求項４に記載の閉塞部材。
【請求項６】
前記閉塞板における前記吐出口と当接する面に、シール部材が設けられている、
請求項１に記載の閉塞部材。
【請求項７】
請求項１に記載の前記ダイと、
請求項１に記載の前記閉塞部材と、
前記ダイの前記吐出口の近傍に設けられ、回転しながらウエブを走行させるバックアップロールと、
前記排出口に接続された開閉弁と、
前記塗工液のタンクと、
前記タンク内の前記塗工液を前記ダイの前記供給口に供給するポンプと、
を有する塗工装置。
【請求項８】
前記開閉弁に排出管が接続され、
前記排出管は、前記タンク、又は、回収容器に接続されている、
請求項７に記載の塗工装置。
【請求項９】
請求項１に記載の前記閉塞部材を前記取り付け部材によって前記ダイの前記吐出口に取り付け、
前記吐出口を前記閉塞板で閉塞し、
前記排出口を開状態にし、
前記供給口から前記塗工液を供給し、前記排出口から前記塗工液を排出し、
前記液溜め部と前記液通路から気泡がなくなるまで前記塗工液の供給を続ける、
塗工準備方法。
【請求項１０】
請求項１に記載の前記閉塞部材を前記取り付け部材によって前記ダイの前記吐出口に取り付け、
前記吐出口を前記閉塞板で閉塞し、
前記排出口を開状態にし、
前記供給口から前記塗工液を供給し、前記排出口から前記塗工液を排出し、
前記液溜め部と前記液通路内の前記塗工液を循環させる、
塗工準備方法。
【発明の詳細な説明】
【技術分野】
【０００１】
本発明は、閉塞部材、塗工装置、及び塗工準備方法に関するものである。
【背景技術】
【０００２】
従来、バックアップロールを走行するウエブにダイから塗工を行う場合には、バックアップロールの近傍にダイを配し、ダイ内部の液溜め部にポンプから塗工液を圧送し、この液溜め部に通じるダイの吐出口からウエブに塗工液を塗工する。
【先行技術文献】
【特許文献】
【０００３】
【特許文献１】特許第５５９３９６７号公報
【発明の概要】
【発明が解決しようとする課題】
【０００４】
しかし、上記のようにダイから塗工液をウエブに塗工する場合に、塗工開始時に塗工液に空気（気泡）が混じり、ウエブに形成された塗工部分に気泡が混じることがある。そのため、塗工前の準備作業において、ダイの吐出口を接着テープなどで塞ぎ、ダイに塗工液を供給しつつ、ダイに設けられた空気孔から塗工液を排出し、気泡が混じらなくなるまで塗工液を循環させている。
【０００５】
しかし、この準備作業において、ダイの吐出口に接着テープを皺がなく、かつ、塗工液が漏れないように貼る作業は手間であり、また、接着テープの粘着力以上の液圧がかかると、塗工液が接着テープから漏れるという問題点があった。
【０００６】
そこで本発明は上記問題点に鑑み、ダイの吐出口を簡単、かつ、完全に閉塞できる閉塞部材、塗工装置、及び塗工準備方法を提供することを目的とする。
【課題を解決するための手段】
【０００７】
本発明の実施形態１は、第１本体と、第１本体に組み合わさる第２本体と、前記第１本体に設けられた塗工液の液溜め部と、前記液溜め部から前記第１本体と前記第２本体の間に形成された前記塗工液の液通路と、前記液通路の先端にあるスリット状の前記塗工液の吐出口と、前記第１本体に設けられ、前記液溜め部に前記塗工液を供給する供給口と、前記第２本体に設けられた排出口と、を有したダイの前記吐出口を閉塞する閉塞部材であって、前記吐出口を閉塞する閉塞板と、前記閉塞板を前記ダイに取り付ける取り付け部材と、を有する閉塞部材である。
【０００８】
また、本発明の実施形態２は、上記実施形態１に記載の前記ダイと、上記実施形態１に記載の前記閉塞部材と、前記ダイの前記吐出口の近傍に設けられ、回転しながらウエブを走行させるバックアップロールと、前記排出口に接続された開閉弁と、前記塗工液のタンクと、前記タンク内の前記塗工液を前記ダイの前記供給口に供給するポンプと、を有する塗工装置である。
【０００９】
上記実施形態１に記載の前記閉塞部材を前記取り付け部材によって前記ダイの前記吐出口に取り付け、前記吐出口を前記閉塞板で閉塞し、前記排出口を開状態にし、前記供給口から前記塗工液を供給し、前記排出口から前記塗工液を排出し、前記液溜め部と前記液通路から気泡がなくなるまで前記塗工液の供給を続ける、塗工準備方法である。
【００１０】
上記実施形態１に記載の前記閉塞部材を前記取り付け部材によって前記ダイの前記吐出口に取り付け、前記吐出口を前記閉塞板で閉塞し、前記排出口を開状態にし、前記供給口から前記塗工液を供給し、前記排出口から前記塗工液を排出し、前記液溜め部と前記液通路内の前記塗工液を循環させる、塗工準備方法である。
【発明の効果】
【００１１】
本発明によれば、ダイに取り付け部材を取り付け、閉塞板によってダイの吐出口を閉塞することにより、その吐出口を完全に閉塞できる。
【図面の簡単な説明】
【００１２】
【図１】本発明の一実施形態を示す塗工装置の側面図である。
【図２】閉塞部材を取り付けたダイの斜視図である。
【図３】閉塞部材を取り付けたダイの側面図である。
【図４】閉塞部材を取り付けた状態のダイの縦断面図である。
【図５】閉塞部材を取り付けた状態のダイの前面図である。
【図６】閉塞部材を取り付けた状態のダイの背面図である。
【図７】閉塞部材を取り付けた状態のダイの底面図である。
【発明を実施するための形態】
【００１３】
以下、本発明の一実施形態の塗工装置１０と、塗工装置１０に用いられる閉塞部材５０について図１〜図７を参照して説明する。
【００１４】
（１）塗工装置１０
塗工装置１０の構成について図１、図３、図４、図７を参照して説明する。塗工装置１０は、長尺状のフィルム、布帛、金属箔、紙などのウエブＷに塗工液を塗工する。
【００１５】
塗工装置１０は、図１に示すように、水平方向に配されたダイ１２と、ダイ１２の横近傍に配されたバックアップロール１４とを有し、バックアップロール１４の下から上に搬送されるウエブＷにダイ１２から塗工液を塗工する。この場合に、塗工液は、タンク１６に貯留され、定量ポンプよりなるポンプ１８によって、ダイ１２に単位時間当たり一定の量の塗工液がタンク１６から供給される。
【００１６】
ダイ１２は、図３、図４に示すように、第１本体である下ダイ２０と下ダイ２０の上方に配される上ダイ２２とシム４０を有している。下ダイ２０には、図４、図７に示すように液溜め部２４が左右方向（ウエブＷの幅方向）に設けられ、上ダイ２２によって上面が閉塞されている。下ダイ２０は、前方に行くほど先細りとなり三角形を成している。また、上ダイ２２も前方に行くほど先細りとなり三角形を成している。下ダイ２０に上ダイ２２を取り付けた場合に、液溜め部２４から連通してダイ１２の前端部に向かって液通路２６が形成されている。この液通路２６の前端部は開口し、吐出口２８が形成されている。また、この吐出口２８は、下ダイ２０と上ダイ２２の三角形の先端であり、塗工液を塗工するための刃先を構成している。また、シム４０が、下ダイ２０と上ダイ２２の間に挟持され、液溜め部２４の左右両側部と後部に位置している。
【００１７】
液溜め部２４の底面の左右方向における中央には、塗工液を供給するための供給口３０が開口している。上ダイ２２において、液溜め部２４の左右両側部近傍に対応する位置には、左右一対の排出口３２，３２が開口している。供給口３０には、ポンプ１８からの供給管３４が接続されている。左右一対の排出口３２，３２には排出管３６，３６がそれぞれ接続され、塗工液がタンク１６に循環するように接続されている。また、左右の排出管３６，３６の途中には、開閉弁３８，３８が設けられている。
【００１８】
（２）閉塞部材５０
次に、ダイ１２のスリット状の吐出口２８を閉塞する閉塞部材５０について図２〜図７を参照して説明する。閉塞部材５０は、閉塞板５２と取り付け部材６６を有している。
【００１９】
閉塞板５２は、図２、図５に示すように、吐出口２８に対応するように左右方向に伸びる長方形である。図３〜図５に示すように、この閉塞板５２の後面の吐出口２８と対応する位置には、長方形のシール部材５４が設けられている。このシール部材５４は、シリコンパッキング、ゴムなど弾性部材であり、吐出口２８を密閉できる。
【００２０】
取り付け部材６６について説明する。図２〜図５に示すように、閉塞板５２の前面には、所定間隔後に縦方向に３本の棒状の第１支持部５６が固定されている。３本の第１支持部５６の固定位置は、閉塞板５２の左右両側部と中央部が好適である。
【００２１】
図２〜図４に示すように、３本の第１支持部５６の上端から後方に向かって水平に棒状の連結部５８がそれぞれ伸びている。この連結部５８の前後方向の長さは、ダイ１２の前後方向の長さよりも大きく形成されている。
【００２２】
図２〜図６に示すように、３本の連結部５８の後端部は、横連結部６０によって一体に連結されている。また、図３、図４、図６に示すように、連結部５８の後端部から下方に向かって棒状の第２支持部６２が設けられている。この第２支持部６２は、ダイ１２の背面よりも後方に位置するようにしておく。
【００２３】
図３、図４、図６に示すように、第２支持部６２の下部には、前後方向に貫通する押圧ボルト６４が螺合している。
【００２４】
取り付け部材６６は、以上により３本の第１支持部５６、３本の連結部５８、１本の横連結部６０、３本の第２支持部６２によって構成されている。
【００２５】
（３）塗工装置１０の塗工準備方法
次に、塗工装置１０でウエブＷに塗工液を塗工する前の準備方法について説明する。準備をする理由は、ダイ１２の液溜め部２４、液通路２６内部には空気が溜まっているため、この空気を抜く必要があるからである。
【００２６】
まず、バックアップロール１４をダイ１２から少し離した状態にする。
【００２７】
次に、ダイ１２の上方から閉塞部材５０を取り付ける。この場合に、閉塞板５２のシール部材５４を、ダイ１２の吐出口２８の前に配し、取り付け部材６６の第１支持部５６、連結部５８、第２支持部６２とでダイ１２を前後方向から挟むようにする。この場合に押圧ボルト６４を緩めておく。
【００２８】
次に、３本の第２支持部６２にあるそれぞれの押圧ボルト６４をねじ込み、３本の押圧ボルト６４の先端でダイ１２の背面を押圧する。これによって、ダイ１２を挟む状態となり、閉塞板５２のシール部材５４が吐出口２８を完全に密閉する。
【００２９】
次に、左右の開閉弁３８を開放する。
【００３０】
次に、ポンプ１８で塗工液を液溜め部２４に供給する。そしてこの供給された塗工液が、液溜め部２４を経て排出口３２を通り、排出管３６からタンク１６に循環するようにする。
【００３１】
次に、塗工液を例えば１０分間循環する。すると、塗工液によって空気（気泡）が排出され、液溜め部２４と液通路２６内部に空気が混入しない状態となる。このとき、吐出口２８は閉塞板５２のシール部材５４によって完全に密閉されているため、液圧が高くなっても吐出口２８から塗工液が漏れない。
【００３２】
次に、ポンプ１８を停止させる。また、左右の開閉弁３８，３８を閉状態にする。
【００３３】
最後に、３本の押圧ボルト６４を緩め、ダイ１２から閉塞部材５０を取り外す。
【００３４】
なお、上記説明では、塗工する前の準備方法であったが、これに加えて、塗工液の塗工をしばらく中断するときに、閉塞部材５０で吐出口２８を閉塞し、左右の開閉弁３８を開放状態にし、塗工液を循環させてもよい。このように塗工液を循環させることにより、塗工液がダイ１２の内部で固まったりしない。
【００３５】
（４）塗工装置１０の塗工状態
次に、塗工装置１０によってウエブＷに塗工液を塗工する方法について説明する。
【００３６】
まず、バックアップロール１４の左周面にウエブＷを架け渡す。
【００３７】
次に、ダイ１２をバックアップロール１４のウエブＷの近傍に配し、ウエブＷとダイ１２の吐出口２８の間隔を塗工厚さに設定する。
【００３８】
次に、ポンプ１８で塗工厚さに対応した量を定期的に供給し、また、バックアップロール１４によってウエブＷを下から上に搬送する。
【００３９】
これによって、タンク１６内の塗工液がポンプ１８によってダイ１２の液溜め部２４に供給され、液通路２６を経て吐出口２８から所定の厚さでウエブＷの表面に塗工される。
【００４０】
これによって、空気が混じっていない、すなわち気泡のない塗工液をウエブＷの表面に塗工できる。
【００４１】
（５）効果
本実施形態によれば、ダイ１２の吐出口２８に閉塞部材５０を簡単に取り付けることができる。
【００４２】
閉塞板５２のシール部材５４は、３本の押圧ボルト６４によって押圧されているため、塗工液の液圧が高くなっても吐出口２８から漏れたりしない。
【００４３】
（６）変更例
上記実施形態では、水平方向に配されたダイ１２について説明したが、上下方向に配されたダイであっても閉塞部材５０を取り付け、空気抜きを行ってもよい。
【００４４】
上記実施形態では、排出口３２は左右一対であったが、１箇所、又は３箇所以上設けてもよい。
【００４５】
上記実施形態では、タンク１６に気泡が混じる塗工液を循環させたが、特別に回収容器を設けてもよい。
【００４６】
また、上記準備方法では左右の開閉弁３８を同時に開状態にしたが、空気の抜ける状態に合わせて、例えば左側の開閉弁３８を開状態にし、その後しばらくして右側の開閉弁３８を開状態にすれば、先ず左側の空気が抜け、次に右側の空気も抜けて、空気を完全に抜くことができる。
【００４７】
また、上記構成では閉塞部材５０をダイ１２に取り付ける取り付け部材６６は、棒状の第１支持部５６、連結部５８、横連結部６０、第２支持部６２より構成されたが、ダイ１２に閉塞板５２を固定できる構造であれば他の構造であってもよい。
【００４８】
また、上記実施形態では、第１支持部５６は、閉塞板５２の左右両側部と中央部に設けたが、左右両側部の２箇所、又は４箇所以上設けてもよい。
【００４９】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５０】
１０・・・塗工装置、１２・・・ダイ、１４・・・バックアップロール、１６・・・タンク、１８・・・ポンプ、２０・・・下ダイ、２２・・・上ダイ、２４・・・液溜め部、２６・・・液通路、２８・・・吐出口、３０・・・供給口、排出口・・・３２、３８・・・開閉弁、５０・・・閉塞部材、５２・・・閉塞板、５４・・・シール部材、５６・・・第１支持部、５８・・・連結部、６０・・・横連結部、６２・・・第２支持部、６４・・・押圧ボルト、６６・・・取り付け部材
【図１】
2020179320.tif 000003
【図２】
2020179320.tif 000004
【図３】
2020179320.tif 000005
【図４】
2020179320.tif 000006
【図５】
2020179320.tif 000007
【図６】
2020179320.tif 000008
【図７】
2020179320.tif 000009